(57)【要約】　　　（修正有）【課題】切断加工に用いる丸鋸において、切れ刃側面と被削材間の摩擦熱による凝着・溶着、焼き付き現象を防止し切削性が格段に向上するソリッドメタルソーを提供する。【解決手段】超硬合金を母材としたソリッドメタルソーの切れ刃側面６部に、中凹状態の微小角度の勾配部と浅い逃げ溝を連接して形成し、複数の切れ刃端部は交互に逃げ溝底部の基台面７より突出した、いわゆるあさり刃形状を形成した超硬ソリッドメタルソーとする。【選択図】　　図１
2004017275.tif 000002
【特許請求の範囲】
【請求項１】
円板状体外周部に複数の切れ刃を持ち、外周部における厚さ方向の最大寸法が公称切れ刃厚さとなるメタルソーにおいて、両側面は中凹状態の勾配部とリング状に浅い逃がし溝部が連接され、且つ前記勾配部側面は１刃おきに交互に各切れ刃側面を斜めに除去し、両側面に残された勾配部を含む切れ刃があさり刃形状となることを特徴とする超硬合金ソリッドメタルソー。
【請求項２】
前記切れ刃構成部において、残された各勾配部側面に切れ刃深さの１／１０〜１／２の長さの勾配部を残し除去部を設け、両側面に残された勾配部を含む切れ刃があさり刃形状となることを特徴とする超硬合金ソリッドメタルソー。
【発明の詳細な説明】
［産業上の利用分野］
【０００１】
鉄鋼、非鉄金属、樹脂などの材料、部品などの切断・溝加工に用いる円盤状で外周部に複数の切れ刀を持つ、いわゆる丸鋸に代表される切削工具に利用する。本発明は塑性加工が不可能な超硬合金、サーメット、セラミック等の切削工具材料からなり、切れ刃があさり刃形状をなし且つ切れ刃部と基台が一体化したソリッドメタルソーに代表される外周部に複数の切れ刃を有する円板状切削工具に関する。
［従来技術］
【０００２】
ソリッドメタルソーに代表される丸鋸（以下ソリッドメタルソーと称す）は色々な材料、部品などの切断加工や溝入れ加工に利用され、特に超硬合金製で切れ刃部と基台部が一体となった超硬ソリッドメタルソーは高硬度、対磨耗性が高い、高剛性、研削加工が比較的容易などの特徴から最近非常に多く利用されている。
【０００３】
ソリッドメタルソーは外周部に複数の切れ刃を持っているため１刃あたりの切削に寄与する負荷が小さく効率良く切断加工が行える。しかし、一般的にメタルソーの厚さは０．１ｍｍ〜４ｍｍ程度の薄い場合が多く、技術面およびコストの面から通常のフライス工具、旋削工具等の切れ刃側面に見られる明確な逃げ面加工、いわゆる側面切れ刃を製作することは極めて困難である。
【０００４】
そこで、メタルソーの側面に於いては通常外径部から中心に向かって中凹状態の勾配研削仕上げ、いわゆる勾配部側面を形成し、通常チップソーなどでいうあさり角とし、切れ刃の外周逃げ面、すくい面と構成させることにより軸方向と円周方向の工具逃げ角として機能させる。
【０００５】
丸鋸の例えば、鋼の基台の外周部に超硬合金の切れ刃チップをロー付けなどで設けた刃厚の大きい円板状の丸鋸、いわゆるチップソーにおいては基台厚に比べて切れ刃チップ厚は大きく、後工程で切れ刃側面のあさり角など必要な工具逃げ角は容易に研削仕上げ出来る為メタルソーに実施される勾配研削は通常行われない。
【０００６】
然るにソリッドメタルソーの場合、薄厚であるためバックテーパーの勾配角度は０．０２５〜０．２５°程度と僅かであり、その為使用機械の剛性、加工ワークの形状、ワークの機械への保持状態、ワークの残留応力、摩擦熱による熱膨張等の影響を受け切断加工中に既切断幅の変形により切断加工面がソリッドメタルソーの切れ刃側面、基台側面を締め付け、いわゆるブレーキ現象を起こしソリッドメタルソーが破損し易い。またコーナーエッジの早期摩損により切れ刃にチッピングが発生し易く、被加工製品には過大なバリが発生し生産性に多大の悪影響を及ぼす。
【０００７】
特に、パイプにおいては軸方向から直交方向まで色々な角度方向に切断加工あるいは半割切断加工を行う際、切削状態が不安定となり肉厚にもよるが一般に異常な切断面の挙動が切れ刃に影響し前記現象が頻出する。また、ジュラコンなどのエンジニアリングプラスチック類の丸棒、板材などは熱伝導率が小さく摩擦熱が蓄積し易く、丸鋸を利用して切断加工を実施する場合において材料が粘弾性挙動を示し切断面の肌荒れやバリ、溶融などの不具合が発生し易い。
【０００８】
前記プラスチック類の切断加工に用いる丸鋸は切削抵抗と摩擦熱の発生を極力小さくなる切れ刃構成と切れ味の良い切れ刃であることが必要であり、その為バックテーパー研削仕上げのみの丸鋸より、あさりのある丸鋸が多く用いられているが、現在市場に提供されているあさりのついた丸鋸は、塑性加工の容易な工具鋼で製作されているため工具寿命が短く頻繁に工具交換を要する。特にガラス繊維入りのエンジニアリングプラスチックの場合、切れ刃摩損は顕著であり利用に適しない。また、工具鋼で製作される丸鋸はプラスチック類や木材などの切断加工は出来ても、金属類の切断加工には不適である。
【０００９】
また、超硬合金チップを取り付けたチップソーの場合、金属類やガラス繊維入りのプラスチック類の切断加工は可能であるが前記ソリッドメタルソーのように切れ刃部を薄厚にすることが極めて困難であるため公称切れ刃厚さが大きいものが多く、切断幅が大きくなり製品歩留まりが極端に悪化し、小型精密部品を対象とする場合は不適当である。
［発明が解決しようとする課題］
【００１０】
そこで前記問題に鑑み、切断・溝加工における加工中の切削抵抗の減少、摩擦熱の現象、破損防止などを目的とし、加工精度、製品歩留まり、耐久性などが格段に向上する切れ刃形状をもつソリッドメタルソーを提供するものである。
［課題を解決するための手段］
【００１１】
第一に、工具材料に超硬合金、サーメット、セラミックなど切削工具材料として極めて優れた性質を有する素材を用い、切れ刃部と基台部が一体となったいわゆるソリッドタイプのメタルソーとする。
【００１２】
第二に、前記素材は塑性加工が不可能であるため、切れ刃部、基台部とも砥石による研削加工により所定の寸法、形状に形成する。公称切れ刃厚を決める側面研削は一般に平行研削を行い、その後中凹状態にするための勾配研削を行うが平行研削を省略しても差し支えない。
【００１３】
第三に、ソリッドメタルソー側面の切れ刃外径部の一部と機械アーバーへの取り付け部、いわゆるボス部を残し、微小な勾配量だけでは問題となる切削時の被加工材料からの締め付けに対処するため所定の勾配部を残してリング状に浅い溝状のヌスミ部を隣接して形成する。
【００１４】
第四に、一刃あたりの切削抵抗を減少させるため各切れ刃側面は一刃ごとに切れ刃交互に斜めに除去する。すなわち、切れ刃構成部は千鳥刃形状とし、公称切削切れ刃厚さは連続する２個の切れ刃で構成される組み合わせにより決定される。
【００１５】
第五に、前記除去部を設けた反対側、すなわち、実際の切断の幅寸法に寄与する切れ刃側面側に、所定の長さの勾配部を除き少なくとも切れ刃の深さ位置まで除去部を研削加工により設ける。
【００１６】
［作用］
あさりがなく、且つあさり角がないかあっても極めて小さい丸鋸を切断加工に利用する場合、切削抵抗の増大・摩擦熱の発生など物理的な影響が大きい。あさりはこれらの影響を出来るだけ小さくするため形成されるが、従来の丸鋸は一般に工具材料の塑性変形性を利用してあさりが形成される。
【００１７】
然るに、前記丸鋸は塑性加工が可能な工具材料で製作されているため木材、プラスチックなどに利用されているのみであり、現在金属材料等難切削材を切断加工する目的に供するあさり刃仕様のソリッドタイプの丸鋸は市場に供されていない。
【００１８】
金属材料など難切削性の材料切断加工に最適の切削工具素材である超硬合金、サーメット、セラミック等においてはあさり形成のための従来工法による塑性加工は不可能であり、したがって超硬ソリッドメタルソーに代表されるソリッドタイプの前記薄厚円板状切削工具の切れ刃構成部におけるあさり刃仕様は不可能とされてきた。
【００１９】
本発明のあさり刃仕様の超硬ソリッドメタルソーは、超硬合金などの円板体の側面に従来の切れ刃を構成する勾配部に隣接して浅い溝を設け、更に切れ刃構成部側面にあさりをなす研削除去部を全周にわたって交互に形成することにより、切削抵抗の軽減、摩擦熱発生の減少、切断面の工具への締め付け現象の軽減などが可能となる。
［実施例］
【００２０】
本発明によるソリッドメタルソーの製作方法は、最初に焼結された超硬合金などの高硬度・脆性材料の円板の両側面を研削し、所定の公称厚さＴ１に仕上げる。次に所定の外径・内径寸法に仕上げ研削した後、図６に示すように外周部から中心に向かい角度　θ１　の中凹状態に勾配研削を行う。すなわち該工程において外径部の厚さが切断幅となる切れ刃の公称厚さＴ１となり中心に向かってあさり角　θ１となる勾配側面の形成された研削円板を製作する。
【００２１】
前記勾配研削は必要に応じ内径部側に機械アーバーへ取り付けるためのボス部２０を残して研削する。更に、研削円板の両側面に図４、図６に示すように外周から勾配部６を残しボス部２０に至る位置まで本発明のソリッドメタルソーの基台面７を形成するリング状の浅い逃がし溝２１を研削する。ここで残される勾配側面部の長さＤ３は切れ刃深さＤ２以内とし、それらの関係は　０．０５×Ｄ２≦Ｄ３≦Ｄ２とする。
【００２２】
また、前記基台面７の厚さＴ３は切れ刃の公称厚さＴ１によって決められ、それらの関係は　０．７×Ｔ１≦Ｔ３≦０．９７×Ｔ１である。次に、外周部に図１、図２、図３に示すように複数且つ偶数のすくい面３、逃げ面２，４、チップポケット５からなる切れ刃構成部を研削加工する。
【００２３】
前記切れ刃において、切れ刃側面を１刃ごとに交互に全周にわたって研削除去面９を形成する。すなわち、該研削工程後の切れ刃は交互に側面に研削除去面９を形成され、残された勾配部側面６が反対側に突出した図７に示すあさり刃仕様となる。
【００２４】
図４、図７は隣り合う任意の切れ刃について説明図である。各切れ刃の幅Ｔ４の厚さ方向における重なり部長さＬは、公称切れ刃厚さＴ１によって決められ、それらの関係は
０．５×Ｔ１＜Ｔ４≦０．９７×Ｔ１　および０＜Ｌ≦０．９４×Ｔ１
で表される。研削除去面９を設けることにより一刃あたりの切削抵抗が減少し切削性が向上する。
【００２５】
更に研削除去面９のそれぞれの反対側切れ刃側面部において、図１、図５、図８に示すように研削除去面８を切れ刃側面の勾配部６の長さＤ１を除き切れ刃全周にわたって一刃おきに形成する。ここで、図８に示す側面の外周部付近に残された部分６の長さＤ１は切れ刃の深さＤ２によって決められ、それらの関係は
０．１×Ｄ２≦Ｄ１≦０．５×Ｄ２である。
【００２６】
研削除去面８、９は切れ刃側面のソリッドメタルソー中心方向についてはそれぞれ　切れ刃底近傍まで形成し円周方向については概切れ刃側面の長さ全体に実施する。研削除去面８は砥石による研削加工が行われるため略アール形状となり図８に示すあさり角θ２が形成される。
【００２７】
前記［００２３］の工程で完成された切れ刃は図４、図７に示すように勾配研削によるあさり角θ１を交互に形成された切れ刃仕様のソリッドメタルソーであり、［００２４］の工程で完成された切れ刃は図１、図２、図３、図５、図８に示すように角度θ１および角度θ２の２段のあさり角を形成されたソリッドメタルソーである。
【００２８】
前記それぞれのソリッドメタルソーを用いて切断加工を行う場合、一般的なソリッドメタルソーに比べて切削抵抗は小さくなる。切り屑も小さく切り屑の排出性が格段に向上し、あさり角、あさり量が大きいため切断中の切断面による締め付けによる物理的な影響も格段に軽減される。
【００２９】
焼結された超硬合金等の塑性加工は不可能であり、したがって超硬ソリッドメタルソーに代表されるソリッドタイプの薄厚円板状切削工具のあさり刃仕様は不可能とされてきたが、実施例に示すように、逃がし溝、研削除去部をそれぞれの切れ刃に形成することにより、あさり刃仕様の超硬ソリッドメタルソーが完成された。
【００３０】
［発明の効果］
記載するソリッドメタルソーは前記したように勾配研削によるあさり角は僅かであるがさらえ刃としての効果があるため切断面の肌荒れへの影響は少なく且つ逃がし溝２１あるいは逃がし溝２１と研削除去面８，９を形成された本発明のソリッドメタルソーは従来工具破損の頻出したパイプ切断加工や肌荒れ問題、溶着問題の頻出したジュラコンの精密切断に威力を発揮する。
【００３１】
近年生産性を考慮してソリッドメタルソーによる切断加工面は最終仕上げ面として利用される場合が多い。その為、切削性がよい、加工精度が高い、耐久性がよい、加工面粗さがよく加工バリが少ない等ソリッドメタルソーの切断加工特性に対する要求は強く、本発明のソリッドメタルソーはこれらの要求に対して十分な効果を発揮する。
【００３２】
被削材の凝着や溶着のし易いアルミ合金などの材料を一般的なメタルソーで切断加工する場合において、本発明の超硬ソリッドメタルソーは切り屑が細かく裁断され、且つ側面の逃がし部が従来製品に比べて十分に大きいため、切り屑の排出が良く切れ刃側面と切断面との摩擦による発熱・被削材の溶着・焼き付き現象などの諸問題が格段に改善するという優れた特長をもつ。
【００３３】
本発明のソリッドメタルソーの母材は超硬合金に限定されるものではなく、サーメット、セラミックなどの焼結された高硬度脆性材料の適用、また一般的な熱処理後の高速度鋼など工具鋼にも適用できる。
【図面の簡単な説明】
【図１】本発明の請求項２に示す超硬合金ソリッドメタルソーのあさり刃仕様の切れ刃説明図
【図２】図１のＡ矢視図
【図３】図１のＢ矢視図
【図４】本発明の請求項１に示す超硬合金ソリッドメタルソーの任意の切れ刃すくい面側からの視観図
【図５】図１のＣ矢視図
【図６】側面形成後の断面図
【図７】図４の寸法関係説明図
【図８】図５の寸法関係説明図
【図９】切れ刃深さと残された勾配部長さとの関係説明図
【符号の説明】
１　１　切れ刃
２　２　二番逃げ面
３　３　すくい面
４　４　逃げ面
５　５　チップポケット
６　６　切れ刃側面
７　７　基台面
８　８　研削除去部
９　９　研削除去部
２０　２０　ボス部
２１　２１　逃がし溝
Ｔ１　切れ刃の公称刃厚さ
Ｔ３　基台厚さ
Ｔ４　各切れ刃の実際の長さ
Ｌ　　各切れ刃の厚さ方向において切削に寄与する寸法上の重なり長さ
Ｄ１　図１に示す切れ刃側面６の軸方向への長さ
Ｄ２　切れ刃の深さ
Ｄ３　図４に示す切れ刃側面６の軸方向への長さ
θ１　勾配側面６のあさり角
θ２　研削除去面８のあさり角
【図１】
2004017275.tif 000003
【図２】
2004017275.tif 000004
【図３】
2004017275.tif 000005
【図４】
2004017275.tif 000006
【図５】
2004017275.tif 000007
【図６】
2004017275.tif 000008
【図７】
2004017275.tif 000009
【図８】
2004017275.tif 000010
【図９】
2004017275.tif 000011